(57)【要約】  折り目線及び検出可能なマークを有するパッケージング材料。それにより得られるパッケージング容器及び１つ又は複数の長手方向折り目線の第１の部分を備えるボール紙又は板紙のウェブが第１のステーション（２ａ、２ｂ）を通過し、１つ又は複数の長手方向折り目線の少なくとも第２の部分を備えるウェブが第２のステーション（２ｃ、２ｄ）を通過することによって、材料を製造するための方法であって、第１のステーションでウェブが折り目線の第１の部分と位置合わせされるマークを備え、第２のステーションでウェブが長手方向折り目線の第２の部分と位置合わせされる第２の部分のマークを備え、第１及び第２の部分が検出可能なマーク（３０）を形成する。
2014518796.tif 000002
【特許請求の範囲】
【請求項１】
板紙又はボール紙製のパッケージング材料の移動するウェブに１つ又は複数の折り目線の第１の部分及び第１のマークを１つのステーションに関連して設け、少なくとも１つ又は複数の折り目線の第２の部分及び第２のマークを第２のステーションに関連して設けることによって、ボール紙又は板紙製のパッケージング容器を折り畳み形成によって製造するためのパッケージング材料であって、前記第１のマーク及び前記第２のマークが共に検出可能なマークを形成するパッケージング材料。
【請求項２】
前記１つ又は複数の折り目線が前記移動するウェブの長手方向縁部に平行な方向の長手方向折り目線として設けられる、請求項１に記載のパッケージング材料。
【請求項３】
前記検出可能なマークが予め定められた幾何学形状である、請求項１又は２のいずれか一項に記載のパッケージング材料。
【請求項４】
前記第１のマークが前記１つ又は複数の折り目線の第１の部分と位置合わせされ、前記第２のマークが前記１つ又は複数の折り目線の第２の部分と位置合わせされる、請求項１から３のいずれか一項に記載のパッケージング材料。
【請求項５】
前記１つ又は複数の折り目線の第１の部分と比較して、少なくとも前記１つ又は複数の折り目線の第２の部分が前記移動するウェブの反対側から設けられる、請求項１から４のいずれか一項に記載のパッケージング材料。
【請求項６】
実質的に平坦な上面及び底面部分を有し、請求項１から５のいずれか一項に記載のパッケージング材料を折り畳み、封止し、及び切断することによって得られるボール紙又は板紙製のパッケージング容器。
【請求項７】
前記パッケージング容器が実質的に平坦な少なくとも１つの端部を有する筒形の容器本体を有し、前記容器本体が実質的に正方形又は長方形の断面を有する、請求項６に記載のパッケージング容器。
【請求項８】
前記パッケージング材料のウェブの長手方向を折り畳み、連続的な筒を形成する縁部を封止し、前記長手方向に封止された筒に製品を充填し、横方向縁部を封止し、実質的に平坦な上面及び底面を切断し形成することによって、請求項１から５のいずれか一項に記載のパッケージング材料を形成することによって得られる、実質的に液体の製品などの製品を含む、請求項６又は７のいずれか一項に記載のパッケージング容器。
【請求項９】
折り畳みによってボール紙又は板紙製のパッケージング容器を形成するためのパッケージング材料のウェブを製造するための方法であって、パッケージング材料の前記ウェブが折り目線の任意のパターンを備え、少なくとも１つの折り目線が前記ウェブの長手方向縁部に平行な方向を向き、前記方法が、ボール紙又は板紙のウェブが第１のステーションを通過するステップであって、前記ウェブが１つ又は複数の長手方向折り目線の第１の部分を備えるステップと、ボール紙又は板紙のウェブが第２のステーションを通過するステップであって、前記ウェブが１つ又は複数の長手方向折り目線の少なくとも第２の部分を備えるステップとを含み、前記第１のステーションで前記ウェブが前記１つ又は複数の長手方向折り目線の第１の部分と位置合わせされるマークを備え、前記第２のステーションで前記ウェブが前記１つ又は複数の長手方向折り目線の前記第２の部分と位置合わせされる第２の部分のマークを備え、前記第１の部分及び前記第２の部分が検出可能なマークを形成する方法。
【請求項１０】
前記検出可能なマークが予め定められた幾何学形状又は形である、請求項９に記載の方法。
【請求項１１】
前記検出可能なマークの厚さが前記パッケージング材料のウェブの厚さの約半分である、請求項９又は１０のいずれか一項に記載の方法。
【請求項１２】
前記検出可能なマークが視覚的に検出可能又は磁気的に検出可能である、請求項９から１１のいずれか一項に記載の方法。
【請求項１３】
前記検出可能なマークを備えた前記パッケージング材料のウェブが制御デバイスを通過し、前記制御デバイスが、前記予め定められた幾何学形状が予め定義された公差の範囲内であるかどうかを判断する、請求項９から１２のいずれか一項に記載の方法。
【請求項１４】
前記予め定められた幾何学形状が前記予め定義された公差の範囲内でない場合、エラー信号が生成される、請求項９から１３のいずれか一項に記載の方法。
【請求項１５】
前記予め定められた形状が前記予め定義された公差の範囲内でない場合、ウェブ材料の長手方向位置が調整される、請求項９から１４のいずれか一項に記載の方法。
【請求項１６】
制御デバイスが少なくともカメラを含む、請求項９から１５のいずれか一項に記載の方法。
【請求項１７】
前記制御デバイスが出力デバイスをさらに含む、請求項１６に記載の方法。
【請求項１８】
ウェブ材料が積層である、請求項９から１７のいずれか一項に記載の方法。
【請求項１９】
前記１つ又は複数の長手方向折り目線の少なくとも第１の部分と比較して前記１つ又は複数の長手方向折り目線の少なくとも第２の部分が、移動する前記ウェブの反対側に設けられる、請求項９から１８のいずれか一項に記載の方法。
【発明の詳細な説明】
【技術分野】
【０００１】
本発明は、折り目線を付けたパッケージング材料、ならびに折り目線のパターン及び第１の及び第２のローラーによって設けられたマークを備えたウェブ形の開始材料から、折り目線を付けたパッケージング材料を製造する方法に関する。
【背景技術】
【０００２】
例えばジュース及び牛乳など、様々なタイプの飲料のための１回使用で使い捨て式のパッケージング容器の製造では、液密で、充填され封止されたパッケージング容器を形成するために、切断され、折り畳まれ、封止された、積層されたパッケージング材料を使用することが多い。一般的な材料のタイプは、いずれかの側面が熱可塑性材料の層でコーティングされた、例えば紙などの繊維性材料の、中心の比較的厚いキャリア層からなる積層から構成される。場合によっては、例えばアルミニウム箔などのバリア層、又は、例えばＥＶＯＨなどの何らかの形態のバリアプラスチックなど、他の層も含まれ得る。パッケージング容器の形成を容易にするために、パッケージング積層は、とりわけ積層のキャリア層を圧縮することによって、折り畳みを容易にする折り目線の線形パターンで脆弱化される。通常は、折り目線は、ウェブの長手方向に対して平行に、及び、例えば材料ウェブを、横方向又は斜めなど、ウェブの長手方向に対して様々な角度で延びる。
【０００３】
長年にわたって使用されているウェブ材料の長手方向位置を検出するための印刷されたマークは、製造が容易であり、読取りが簡単である。実際、印刷されたマークは、単にパッケージ設計の一部分であり、従って追加費用を必要としない。しかし、印刷された設計の一部分であることは、印刷ステップ及び折り目付けステップはウェブ材料の製造における２つの異なる連続的なステップであるので、位置合わせマーク自体が折り目パターンと完全には位置合わせされず、２つのステップ間での相対的な移動が最小限に維持されても、製造プロセスにおいて固有の公差が存在することを意味する。
【０００４】
特許文献１は、レーザー反射技術を使用して、特に、光の入射方向に対して傾斜した２つの方向に沿って、材料から反射された光を検出する２つの光検出器を使用して、及びそのようにして得られた信号を処理することによって、パッケージングウェブ材料の折り目線の位置を検出するための方法及びデバイスを開示している。
【０００５】
特許文献２及び特許文献３は、ウェブ材料の長手方向及び横方向位置を検出するための折り目線の使用を開示している。
【０００６】
特許文献４及び特許文献５は、特許文献１で開示されたものと同様のレーザー差反射技術を使用して、２つの相互に交差したエンボス加工された線を読み取ることによって、ウェブパッケージング材料の長手方向及び横方向位置を検出する方法を開示している。しかし、この方法は、検出される基本的なパラメータであるウェブ速度について情報が得られないので、ウェブ供給を制御するのに必要なすべてのデータを提供することができず、何らかの他の方法で判断しなければならない。
【０００７】
別の折り目付け操作も知られている。例えば、図３に概略的に開示されるように、ウェブの機械方向（ＭＤ）に配置された上面パネルＢ、側壁パネルＣ及び底面パネルＤを有するパッケージング材料Ａのウェブが知られている。上記の順に配置されたパネルが、横方向折り目線（ＴＣＴ−上部横方向折り目線、及びＴＣＢ−底部横方向折り目線）によって、互いに折り畳み可能に連結されている。長手方向折り目線１〜４は図示されており、長手方向折り目線を２つの方向から付けることができ、１ａ、２ａ、３ａ及び４ａの折り目付けをパッケージング材料のウェブの一方の側から１つの同じ操作でできることが知られている。別の部分、すなわち１ｂ、１ｃ；２ｂ、２ｃ；３ｂ、３ｃ；及び４ｂ、４ｃが、パッケージング材料のウェブの反対側から第２の折り目付け操作で行われる。上記の２つの折り目付け操作のステップは、実質的に平坦な端部閉鎖部を有する垂直で筒形の容器本体を有するパッケージを製造するために特に有用である。その例は、実質的に八角形水平断面の筒形の容器本体を有するＴｅｔｒａ  Ｐｒｉｓｍａ（商標）として市販されている。例えばウェブ張力が変化した場合、結果が損なわれ、すなわち折り目線の位置ずれが起きることがある。
【０００８】
従って、パッケージング材料製造の分野における１つの要望は、折り目線を付けたパッケージング材料を製造し、十分に正確な最終結果、すなわち、完全性を損なうことなく十分に明確な形状を有するパッケージング容器を得る方法を実現することである。
【先行技術文献】
【特許文献】
【０００９】
【特許文献１】欧州特許第０７７２７６０号明細書
【特許文献２】国際公開公報第０３／０３７７２９号
【特許文献３】国際公開公報第０３／０３７７２２号
【特許文献４】独国特許第１０２４６４４９号明細書
【特許文献５】欧州特許第１４０６０６１号明細書
【発明の概要】
【発明が解決しようとする課題】
【００１０】
本発明の一目的は、ボール紙又は板紙製のパッケージング容器などのパッケージング容器の製造に適切なパッケージング材料のウェブを得ることである。
【００１１】
本発明の一目的は、パッケージング容器へと折り畳み形成するのに適切なパッケージング材料を製造するための方法を提供することである。
【課題を解決するための手段】
【００１２】
本発明は、板紙又はボール紙製のパッケージング材料の移動するウェブに１つ又は複数の折り目線の第１の部分及び第１のマークを１つのステーションに関連して設け、少なくとも１つ又は複数の折り目線の第２の部分及び第２のマークを第２のステーションに関連して設けることによって、ボール紙又は板紙製のパッケージング容器を折り畳み形成によって製造するためのパッケージング材料であって、第１及び第２のマークが共に検出可能なマークを形成するパッケージング材料に関する。
【００１３】
本発明はまた、実質的に平坦な上面及び底面部分を有し、本発明で定義されたパッケージング材料を折り畳み、封止し、及び切断することによって得られるボール紙又は板紙製のパッケージング容器に関する。１つの態様の容器は、実質的に平坦な少なくとも１つの端部を有する筒形の容器本体を有し、容器本体は実質的に正方形又は長方形の断面を有する。
【００１４】
本発明はさらに、折り畳みによってボール紙又は板紙製のパッケージング容器を形成するためのパッケージング材料のウェブを製造するための方法であって、パッケージング材料のウェブが折り目線の任意のパターンを備え、少なくとも１つの折り目線がウェブの長手方向縁部に平行な方向を向き、方法が、ボール紙又は板紙のウェブが第１のステーションを通過するステップであって、ウェブが１つ又は複数の長手方向折り目線の第１の部分を備えるステップと、ボール紙又は板紙のウェブが第２のステーションを通過するステップであって、ウェブが１つ又は複数の長手方向折り目線の少なくとも第２の部分を備えるステップとを含み、第１のステーションでウェブが１つ又は複数の長手方向折り目線の第１の部分と位置合わせされるマークを備え、第２のステーションでウェブが１つ又は複数の長手方向折り目線の第２の部分と位置合わせされる第２の部分のマークを備え、第１及び第２の部分が検出可能なマークを形成する方法に関する。
【００１５】
上記及び他の本発明の目的、特徴及び利点は、添付の図面を参照しながら、以下の本発明の好ましい実施形態の例示的及び非制限的な詳細な説明を通してより良く理解されよう。
【図面の簡単な説明】
【００１６】
【図１】マーク又はエンボスを有するパッケージング積層を提供するための方法の概略図である。
【図２】パッケージング容器のための製造ラインの一部の概略図である。
【図３】折り目パターンを含むパッケージング材料ウェブの概略図である。
【発明を実施するための形態】
【００１７】
図３は、既知のウェブの機械方向（ＭＤ）に配置された上面パネルＢ、側壁パネルＣ及び底面パネルＤを有するウェブ形のパッケージング材料Ａを概略的に開示している。順に配置されたパネルは、横方向折り目線（ＴＣＴ−上部横方向折り目線及び底部ＴＣＢ−横方向折り目線）によって互いに折り畳み可能に連結されている。長手方向折り目線１〜４が示されている。長手方向折り目線は、横方向折り目線ＴＴとＴＢ（上部横方向折り目線と底部横方向折り目線）との間を延び、図３は、長手方向折り目線部分１ａ〜４ａならびにＴＣＴ及びＴＣＢが側壁パネルａを折り畳み可能に連結していることを開示している。長手方向折り目線１〜４の折り目線部分１ｂ〜４ｂならびにＴＣＴ及びＴＴは上面パネルｂを折り畳み可能に連結している。長手方向折り目線１〜４の折り目線部分１ｃ〜４ｃならびにＴＣＢ及びＴＢは底面パネルｃを折り畳み可能に連結している。
【００１８】
上述のように、長手方向折り目線を２つの方向から付けることができ、１ａ、２ａ、３ａ及び４ａの折り目付けをパッケージング材料のウェブの一方の側から１つの同じステーションでできることが知られている。別の部分、すなわち１ｂ、１ｃ；２ｂ、２ｃ；３ｂ、３ｃ；及び４ｂ、４ｃが、パッケージング材料のウェブの反対側から第２の折り目付けステーションで行われる。上記のように２つの方向で実施される折り目付けステーションは、明確な長手方向縁部を含む画成された幾何学的外形を有するパッケージング容器が得られることを意味する。明確な長手方向縁部は、折り目１ａ、２ａ、３ａ及び４ａによって形成され、従って突出する凸状の折り目部分配置を最終パッケージング容器の外側として形成する。従って、残りの部分１ｂ、１ｃ；２ｂ、２ｃ；３ｂ、３ｃ及び４ｂ、４ｃは、その部分が最終パッケージング容器の内側に配置されるように、折り目付けされることによって形成される。従って上述の折り目の配置によって、より明確なパッケージの形成が可能になる。
【００１９】
上記の２つの折り目付けステップは、実質的に八角形の水平断面の筒形の容器本体を有するＴｅｔｒａ  Ｐｒｉｓｍａ（商標）として市販されているものなどのパッケージの製造に特に有用である。八角形の容器本体は、長手方向の斜めの端部壁面が約１３５度の角度で設けられていることを意味する。八角形容器本体の折り畳みは、パッケージング材料のウェブが平坦な搬送位置から４５度に折り畳まれると見ることもできる。上述の２つの折り目付けステップは２つの方向から折り目線を付け、１ｂ、１ｃ；２ｂ、２ｃ；３ｂ、３ｃ及び４ｂ、４ｃはそのような折り畳みに適している。しかし、パッケージング材料のウェブに２つのステップ折り目付け操作を使用して、実質的に長方形又は正方形断面を有する筒形の容器本体、すなわち、互いに対して約９０度の角度を有する垂直な斜めの端部壁面を有する容器本体を折り畳み形成するとき、２つの折り目付けステーションに設けられる折り目線の位置合わせがより重要である。
【００２０】
上記の４５度の折り畳みとは対照的に、正方形又は長方形ベースの断面を有する容器本体を有するパッケージング容器など、壁面を有するパッケージング容器を９０度の角度で折り畳むとき、所望の幾何学形状を有する折り畳まれたパッケージを得るために、長手方向折り目線が近接した向きであり一致することが有益である。実質的に平坦なウェブからの折り畳み操作は９０度の折り畳みによって行われる。当業者であれば、別個の折り目付け操作は、例えば約６００ｍ／分など、約５００ｍ／分の速度で動いているウェブに実施されるので、２つの折り目付け操作ステップで正方形又は長方形の容器本体を得るために必要な折り目線の正確な向きが、より困難であることを理解するであろう。当業者はさらに、１ａ、２ａ、３ａ、４ａと１ｂ、１ｃ；２ｂ、２ｃ；３ｂ、３ｃ；及び４ｂ、４ｃとの位置合わせ（少なくとも２つの折り目付けステーションで設けられるので）も理解するであろう。例えば、ウェブ張力の増加又は減少によって、長手方向折り目線の位置が、第２のステーションで、１ａ、２ａ、３ａ、及び４ａに対して位置ずれした位置になることがある。同様に、他のプロセスに関連した要因が、折り目線の位置合わせに影響することがある。例えば図３に見られるように、折り目線１〜４は、ウェブの縁部に平行に設けられた長手方向折り目線である。長手方向折り目線は、機械方向であるコンベヤベルトの方向に対しても平行である。機械方向は、ボール紙又は板紙の繊維の方向にも対応している。
【００２１】
従って、本発明の一目的は、折り目の位置合わせを損ない、又は位置ずれさせることなく、２つの折り目付けステーションで折り目付けを実施することであり、又は少なくとも、２つの別個の折り目付けステーションで設けられる折り目線が位置合わせされていないことが簡単に検出されるパッケージング材料のウェブを製造することである。
【００２２】
本発明を、主にいくつかの実施形態を参照しながら上記で説明した。しかし、当業者には容易に理解されるように、上記で開示された以外の実施形態も、添付の特許請求の範囲に定義されるように本発明の範囲内で同様に可能である。図２は、ウェブ材料３が、図１に概略的に示され、本明細書でさらに説明されるように設けられた、折り目線パターン４及びマーク又はエンボス３０を含むパッケージング機械を概略的に示す。折り目線パターン４及びマーク又はエンボス５は、少なくとも１つのパッケージを製造するのに必要な材料の長さと等しい間隔Ｒで繰り返される。折り目線パターン４は、既知の方法で、最終パッケージの垂直な角部に対応する複数の長手方向折り目線４ａ、及びパッケージの水平な角部に対応する複数の横方向折り目線４ｂ及び横方向封止部分の基部又は「フィン」を含む。マーク又はエンボス５は、ウェブ材料の適切な場所に配置することができるが、パターン４の折り目線４ａ、４ｂのいずれとも交差しないことが好ましい。ウェブ材料３は、ウェブ材料３がリール７から繰り出され、滅菌される無菌室（図示せず）を通り、連続的な垂直な筒９を形成するように、既知の方法で長手方向に折り畳まれ封止されるアセンブリ８を通って供給される、無菌パッケージを製造するための図２に概略的に示す機械６に使用することができる。パッケージング材料の筒９は、既知の充填デバイス１０を使用して、注入可能な食品で連続的に充填され、次いで、ピローパック１５を形成するように筒を横方向に封止する形成及び横方向封止ステーション１４に供給され、ジョーの対（図示せず）の間に把持される。ピローパック１５は次いで、パック間の封止部分を切断することによって分離され、最終折り畳みステーション１６へと供給され、最終パッケージ１７を形成するように機械的に折り畳まれる。パッケージは、折り目線４ａ及び４ｂに沿って材料を折り畳み（折り畳み形成し）、材料に間隔Ｒで位置するマーク又はエンボス５を「読み取る」ための制御デバイス１８を使用して材料供給を制御することによって、形成される。制御デバイス１８は、マーク又はエンボスを設けた後、どこに配置することもできる。
【００２３】
図２は、パッケージング容器のための製造ラインの一部を概略的に示す。より詳細には、図２は、例えば、ポリエチレンなどの外側の液密の熱可塑性を備えた積層のキャリア層をラミネータユニットを使用して形成する、例えば板紙又はボール紙などの繊維性材料などの積層の形態のパッケージング材料などのウェブ材料（３）を開示する。プラスチック層はウェブの幅全体にわたって押し出され、冷却された圧縮ローラーを使用して、プラスチックが溶解し繊維性材料に永久的に接合されるようにする。例えばアルミニウム箔など、考えられる追加の層を適用することができ、その上に液密の熱可塑性の外側層によって積層製造プロセスを完成する。ウェブ材料は、ウェブ材料が間を通過する２対の協働（２ａ〜ｄ）、反回転ローラーを使用して実現される、所望のパターンの折り目線を備える。雄型２ｂ、２ｃ及び雌型２ａ、２ｄ治具を備えたローラーが、所望のパターンの折り目線が得られるようにパッケージング積層を圧縮する。さらに、第１の雄型治具２ｂはマーク又はエンボスをウェブ材料に形成するマーク又はエンボス形成治具１ａを備え、第２の雄型治具２ｃは相補的なマーク又はエンボス形成治具１ｂを備える。第２のローラー対を通過した後、マーク又はエンボスを有する折り目線を付けたウェブ材料は、少なくともカメラなどの検出デバイス、及び任意で計算ユニットを含む制御デバイス１８を通過する。制御デバイスは、２つのマーク１ａ、１ｂ間の位置関係を判断して、マーク又はエンボスが予め定義された形状又はパターンを形成しているかどうかを判断する。一実施形態では、マーク又はエンボスを予め定義されたマークと比較する画像分析が使用される。一実施形態では、制御デバイスは、形成されたマーク又はエンボスが所望の形状又はパターンを形成するかどうかを示す出力デバイスに連結されている。一実施形態では、本発明はさらに、形成されたマーク又はエンボスが予め定義された限界の外側にある場合、エラー信号を出力するステップを含む。一実施形態では、本発明はさらに、ウェブ材料の横方向位置又は長手方向位置を調整する方法が達成され、すなわち、形成されたマーク又はエンボスが予め定められた限界内にくるように調整されるようにウェブ材料とウェブ材料を搬送するコンベヤベルトとの位置関係が変更され、すなわち、２つの別個のステーションで設けられる長手方向折り目線間の位置合わせを達成するようにウェブ張力が制御される。好ましくは、マーク又はエンボスは、制御デバイスによる検出が容易になるように配置される。一実施形態では、マークの厚さはパッケージング材料の厚さの約半分であるが、他の厚さも本発明の範囲内に企図されている。１つの好ましい実施形態では、第１及び第２の雄型治具２ｃ、２ｄがウェブ材料に印象を形成し、その印象が検出可能なマークを形成する。任意で、例えば印刷されたマークなど、他のマークが企図されている。当業者であれば、第１及び第２の折り目付けステーションに関連して設けられ、マークが共に検出可能なマークを形成する限り、多くのマークが企図されていることを理解するであろう。重要なことは、検出可能なマークを形成する２つのマークが、それぞれの折り目付けステーションに関連して適用され、これによりマークがそれぞれの折り目付けステーションに設けられた折り目線と位置合わせされることである。検出可能なマークの設計は、本発明にとって主な重大事項ではなく、所望の形状又はパターンではないときに、より簡単に検出可能であり、又はより簡単に検出される限り、ある種の幾何学形状が当然ながら有益となり得る。本発明には、本明細書で説明された方法を実施するための装置も企図されている。
【００２４】
本発明で使用される「制御」という用語は、制限的ではなく、例えば監視、調整及び指示及びそれらの同義語も含む。
【００２５】
このようにして形成され、折り目線を付けられ、マークを付けられたウェブ材料は、次いで、切断具を使用して、それぞれが関連するタイプの１つのパッケージング容器を製造するために消費される材料の幅と対応する幅である所望の数の平行な支流又は部分のウェブへと分割される。
【００２６】
ボール紙又は板紙製のパッケージング材料又はパッケージング容器は、例えばプラスチック層と板紙との積層の形態など、大部分が繊維性材料である材料又は容器を意味する。
【００２７】
パッケージの端部形状は、ウェブ材料に形成された折り畳みの刻み目、すなわち折り目線によって特徴付けられる。２対のローラーによって設けられるマーク又はエンボスが切断の位置基準として使用される場合、これらを配置する適用及び他のプロセスは、折り目線と比較して高い精度で実施することができる。従って、廃棄しなければならないウェブ材料がより少なくなり、種類、すなわち機能及び外観の変形が減少する。
【００２８】
本発明による折り目又は折り目線は、例えば押圧、折り畳み、又は皺付けによって形成された線によって設けられた材料の脆弱部を意味する。従って、折り目付けは、例えば押圧、折り畳み、又は皺付けによる脆弱化を意味する。
【００２９】
上記の実施形態及び添付の特許請求の範囲及び図面に照らすと、本発明の目的、すなわち、積層された折り目線を付けたパッケージング材料の製造において十分に正確な最終結果を得ることができることが可能である。本発明による検出可能なマークの提供は、当業者には明らかである利点を有し、原則的にパッケージング容器の製造を向上させることができ、折り目線がない場合の折り畳みのリスクが減少するのでパッケージング容器を向上させることができる。マークは、マーク治具１ａ、１ｂ、第１及び第２の雄型治具２ｃ、２ｄを設けることによって上記で例示したように簡単に得られ、得られたマークによってウェブ材料が少なくとも長手方向に正確に配置されていることを判断できることが可能になる。
【符号の説明】
【００３０】
１  折り目線
１ａ  折り目線部分
１ｂ  折り目線部分
１ｃ  折り目線部分
２  折り目線
２ａ  折り目線部分
２ｂ  折り目線部分
２ｃ  折り目線部分
３  折り目線
３ａ  折り目線部分
３ｂ  折り目線部分
３ｃ  折り目線部分
４  折り目線
４ａ  折り目線部分
４ｂ  折り目線部分
４ｃ  折り目線部分
２ａ  雌型治具
２ｂ  雄型治具
２ｃ  雄型治具
２ｄ  雌型治具
３  ウェブ材料
５  マーク又はエンボス
６  機械
７  リール
８  アセンブリ
９  筒
１０  充填デバイス
１４  封止ステーション
１５  ピローパック
１６  折り畳みステーション
１７  最終パッケージ
１８  制御デバイス
３０  マーク又はエンボス
Ｂ  上面パネル
Ｃ  側壁パネル
Ｄ  底面パネル
【図１】
2014518796.tif 000003
【図２】
2014518796.tif 000004
【図３】
2014518796.tif 000005
【国際調査報告】
2014518796.tif 000006
2014518796.tif 000007